Podtech/llm-jp-corpus-v4-ja_patent huggingface dataset:
(57)【要約】【課題】本考案はゴミ容器の内側にポリ袋を入れポリ袋の上部が動かないようにセットする時、ポリ袋の上部が動かないように、ポリ袋の端を挟む要具を設け、ポリ袋をゴミ容器にセットし易くする。【解決手段】本考案はゴミ容器１の外側の上部に、下支え用具４を設け、その上にピン３にて枢着した押さえ用具５が回転自在となるようにし、ゴミ容器１の内側にセットしたポリ袋の上部をゴミ容器１の外側の周囲に折り返し、折り返したポリ袋がゴミ容器１の外側に密着するようポリ袋の上部の端を手で引っ張り、余ったポリ袋の上部の端を、下支え用具４と押さえ用具５の間に挟んでポリ袋の上部の端を止めることによって、ポリ袋の上部が動かないようにセットすることが出来る。【選択図】図１
0003140023.tif 000002
【実用新案登録請求の範囲】
【請求項１】
ゴミ容器本体の外側にポリ袋等の端を挟む、挟む要具を設け、当該挟む要具の弾力性のある素材の下支え用具に枢着した押さえ用具を回転自在としたことを特徴とするポリ袋等挟む要具付きゴミ容器。
【考案の詳細な説明】
【技術分野】
【０００１】  本考案は、ポリ袋の上部の端を挟む要具を設けた、ゴミ容器に関するものである。
【背景技術】
【０００２】  ゴミ容器に、ゴミが入れ易いようにポリ袋の上部が動かないようセットする時、ゴミ容器の上部の周囲に、押さえ用具を設けポリ袋の上部を上から押さえ用具で押さえてとめていた。
【考案の開示】
【考案が解決しようとする課題】
【０００３】  ゴミ容器等にポリ袋セットし押さえて止めるのに、手間がかかるし押さえ用具やその押さえ用具の受け入れ場所をゴミ容器の上部の周囲に設けることは経済負担も大きい。一箇所の簡単な要具とその操作によって、ポリ袋の上部が動かないよう止めることができ前述の欠点を解決しようとするものである。
【課題を解決するための手段】
【０００４】  本考案は、ゴミ容器本体の外部にポリ袋上部の端を挟む力によって止めることの出来る、挟む要具を設けたものである。その挟む要具の下支え用具は弾力性のある素材とし、押さえ用具は弓なりに両端をそらし、回転自在とすることにより問題点を解決している。
【考案の効果】
【０００５】  上述の様に、本考案のポリ袋挟む要具付きゴミ容器は、ポリ袋をゴミ容器にセットする時、ポリ袋をゴミ容器の内側に入れ、ポリ袋の上部をゴミ容器の外側の周囲に折り返し、折り返したポリ袋の端を強く引っ張って、挟む要具に挟まして止めることによってポリ袋の上部が動かないように、簡単にセットすることができる。
【考案を実施するための最良の形態】
【０００６】  ビニール袋挟み器の押さえ用具は両端を外側に弓なりそらしピンを中心に回転できる。また、下支え用具は弾力性のある素材をゴミ容器の外側に固着する。
【実施例】
【０００７】  以下、添付図面に従って一実施例を説明する。１はゴミ容器、２はゴミ容器１に下支え用具４を固着するピン、３はゴミ容器１に下支え用具４と押さえ用具５を枢着したピン、４は弾力性があるホース等の適宜素材の下支え用具、５はポリ袋の端を挟む時受け入れやすいように両端を弓なりにそらしたプラスチック等の適宜素材の押さえ用具。【０００８】  本考案の一実施例は上述の如き構成からなるものであるから、ポリ袋をゴミ容器１にセットする時、ポリ袋をゴミ容器１の中に入れ、ポリ袋の上部をゴミ容器１の外側の周囲に折り返し、折り返したポリ袋の上部がゴミ容器１の外側の周囲に密着するように、ポリ袋の上部の端を引っ張りながらその余った端を、押さえ用具５を下支え用具４と、重なる位置に止めておいてピン３の右側の押さえ用具５と下支え用具４の間、ピン３の左側の押さえ用具５と下支え用具４の２箇所に挟み、挟むことによる力によって、ポリ袋の上部が動かないように止めることができる。またポリ袋の上部をゴミ容器１の外側に周囲に折り返して、ゴミ容器１の外側にポリ袋の上部を密着するように引っ張って余ったポリ袋の上部の端が短くて１箇所の押さえ用具５と、下支え用具４との間しか挟むことが出来ない時は、挟んだそのポリ袋の上部の端をピン３になるべく近い位置の押さえ用具５に掛けるように外側に折り返して、しっかり支えて置いてそのまま、反対側のピン３よりもっとも遠い位置の押さえ用具５の先端部に力を加えて、押さえ用具５をポリ袋の上部が引っ張られる方向に１８０度回転させると、梃子の原理でポリ袋の上部の端は強く引っ張られて伸びるし、ポリ袋の上部はゴミ容器１の外側の周囲にさらに強く密着するその為、余りのポリ袋の上部の端も長くなるので、ポリ袋の上部の端は２箇所の押さえ用具５と下支え用具４の間に挟まれて動かないように止めることが出来るし、セットしたポリ袋上部もゴミ容器１の外側に、ピッタリ密着して見た目もさらにきれいになる。またこの考案のポリ袋挟む要具は丸いゴミ容器にも取り付け出来る。またゴミの入ったポリ袋を取り出す時は、下支え用具４に対し、＋の位置に押さえ用具５を止めておいて、挟んだポリ袋の上部の端を外して、ポリ袋をゴミ容器から取り出せばよい。
【図面の簡単な説明】
【０００９】
【図１】本考案の、ポリ袋挟む要具付きゴミ容器の実施例を示す四角形のゴミ容器の場合の斜視図である。
【符号の説明】
【００１０】  １  四角形のゴミ容器本体
２  ピン
３  ピン
４  下支え用具
５  押さえ用具
【図１】
0003140023.tif 000003
(57)【要約】      （修正有）【課題】消臭・制菌・吸水・速乾の効果を持つち、その形状より皮膚に伝わる違和感がなく、快適性が保持される襟部のパットを提供する。【解決手段】消臭・制菌・吸水・速乾の効果を持つ素材を用いて帯状の両端部を半円に形成するパットであり、このパットを横にした時の上部１／２を二重構造に下部１／２を四重構造とし、裏面に両面粘着テープを施してワイシャツに粘着する。【選択図】図１
0003140022.tif 000002
【実用新案登録請求の範囲】
【請求項１】
消臭・制菌・吸水・速乾の効果を持つ素材を用いた。帯状の、両端部を半円に形成する本体を横にした時の上部１／２を二重構造にし、下部１／２を四重構造にして裏面に両面粘着テ−プを施した襟部の消臭・制菌パット。
【考案の詳細な説明】
【技術分野】
【０００１】本考案はワイシャツの襟部へ消臭・制菌・吸水・速乾効果を持つパットを用いて両面粘着テ−プにて粘着、取り外しが可能で使い捨てではない為、何度でも使用できるパットに関するものである。
【背景技術】
【０００２】現在、消臭・制菌・吸水・速乾の効果を持つ襟パットは製造・販売されていない。ビジネスマン・ビジネスレディ−は特に夏期、汗をかいた後、最も気になる部分のひとつが襟である。従来はワイシャツの襟後方部をハンカチで拭くが、即乾くことなく汗の匂いと汗による菌が増殖、快適生活の妨げとなっていた。消臭・制菌・吸水・速乾の効果を持つ襟部のパットをビジネスマン・ビジネスレディ−は強く要望している。
【考案の開示】
【考案が解決しようとする課題】
【０００３】上記問題を解決するパットを提供する事である。
【課題を解決しようとする手段】
【０００４】消臭・制菌・吸水・速乾の効果を持つ素材を用いて帯状の両端部を半円に形成するパットであり、このパットを横にした時の上部１／２を二重構造に下部１／２を四重構造とし、裏面に両面粘着テープを施してワイシャツに粘着する。
【考案の効果】
【０００５】本考案によって課題を十分に解決している。本体１をワイシャツＡへ粘着する。その形状より皮膚に伝わる違和感がなく、快適性が保証されている。繰り返し使用できるのも利点。
【実施例】
【０００６】図１の（イ）は本体の形状を示す正面図である。本体は縦約２５ｍｍ、横１７０ｍｍの大きさで帯状両端部を半円に形成している。パットを横にした時の上部１／２は二重構造で厚さ約１．５ｍｍ、下部１／２は四重構造で厚さ約３ｍｍとなる。この構造により上部１／２で吸収できない汗を下部１／２でしっかり吸収できる。製造工程は、四角い１枚の素材を用いて、先ず上下部の中心地点を線状に織り曲げ、その状態で更に下部から先程折り曲げられた上部までの下部から１／４地点を双方共に線状に内側へ折り曲げる。結果、断面は上部１／２が二重構造、下部１／２が四重構造となり図１の（ロ）となる。最後に帯状両端部を半円の形状に切り、すべての端を縫い合わせ、同時に帯状の下部から１／４地点を線上に縫い合わせる。【０００７】図１の（ロ）はａ、ｂの断面図を示すものである。【０００８】図２は本考案の実施状態を示す斜視図である。襟消臭・制菌パット１の裏面に両面粘着テ−プを施してワイシャツＡの襟部３に粘着する。【０００９】図３は脇消臭・制菌パットの形状を示す斜視図である。襟消臭・制菌パット１同様、１枚の素材を用いて上下部の中心地点を線状に織りまげる。次に上部を半円の形状に切り、残りの端を図３の様に切り、開いた状態ですべての端を縫い合わせる。一方、同じ大きさの２枚の素材を用いてその各上部を予め半円の形状に切り、残りの端を図３の様に切り、上部のみ接地させた状態ですべての端を縫い合わせる方法もある。何れも図３となる。この形にする事で脇部へフイットするのである。【００１０】図４は脇消臭・制菌パットの実施状態を示す斜視図である。脇消臭・制菌パット２の裏面に両面粘着テ−プを施してワイシャツＡの脇部４に粘着する。
【図面の簡単な説明】
【００１１】
【図１】本考案の襟消臭・制菌パット体の斜視図
【図２】本考案の実施状態を示す斜視図
【図３】図１の応用例とした脇消臭・制菌パット体の斜視図
【図４】図３の実施状態を示す斜視図
【符号の簡単な説明】
【００１２】１襟消臭・制菌パット体
２脇消臭・制菌パット体
３襟部
４脇部
Ａワイシャツ
【図１】
0003140022.tif 000003
【図２】
0003140022.tif 000004
【図３】
0003140022.tif 000005
【図４】
0003140022.tif 000006
(57)【要約】      （修正有）【課題】載せる位置と形状が限られている剣玉の基本的な機能を維持したまま、意匠性に優れ、且つ多様な遊び方が工夫できる剣玉の提供。【解決手段】剣の下端部に設けた第１皿部７と、剣１と交差し横方向に張り出す一つ若しくは二つの支持架２、２’の両側端に各一対設けた第２皿部３、第３皿部４、第４皿部５および第５皿部６と、剣先挿入部と、穴を穿設した玉と、その玉と剣を糸で繋ぎ、玉を空中に浮かし落下する玉を各皿部に載せるか、剣先挿入部を穴に差し込んで遊ぶように構成し、皿の数を従来の３つから５つに増やした剣玉を提供する【選択図】図１
0003140024.tif 000002
【実用新案登録請求の範囲】
【請求項１】
剣の下端部に設けた第１皿部と、剣と交差し横方向に張り出す一つ若しくは二つの支持架の両側端に各一対設けた第２皿部、第３皿部、第４皿部および第５皿部と、剣先挿入部と、穴を穿設した玉と、その玉と剣を糸で繋ぎ、玉を空中に浮かし落下する玉を各皿部に載せるか、剣先挿入部を穴に差し込んで遊ぶように構成したことを特徴とする剣玉。
【請求項２】
剣と交差し、横方向に張り出す二つの支持架がそれぞれ皿胴であって、それぞれの支持架は十字状に設けられ、それぞれの皿胴の両側端に第２皿部と第３皿部および、第４皿部と第５皿部を設けたことを特徴とする請求項１に記載の剣玉。
【請求項３】
剣と交差する一つの支持架の両端に、剣と支持架のいずれに対しても直角になるように、第２皿部と第３皿部を有する皿胴と、第４皿部と第５皿部を有する皿胴とを設けたことを特徴とする請求項１に記載の剣玉。
【請求項４】
剣と交差する一つの支持架が湾曲するように形成され、該支持架の両端に、剣と支持架いずれに対しても直角になるように、第２皿部と第３皿部を有する皿胴と、第４皿部と第５皿部を有する皿胴とを設けたことを特徴とする請求項１に記載の剣玉。
【考案の詳細な説明】
【技術分野】
【０００１】本発明は、剣玉に関する
【背景技術】
【０００２】従来のけん玉は、例えば図５に示すように、鼓状に形成された皿胴、該皿胴に形成された貫通孔に先端が挿入可能な棒状に形成された剣１、剣１の先端が挿入される孔部が設けられた玉、および該玉と剣１又は皿胴を結ぶ糸３などから構成される（例えば特許文献１参照）。【０００３】
【特許文献１】特開２００２−３４６０１１号公報
【考案の開示】
【考案が解決しようとする課題】
【０００４】  従来の剣玉においては、設けられている三種の皿に玉を載せたり玉に剣を刺したり、或いはこれらの形を利用した空間に玉を挟みこむなどの種々の遊び方がなされている。しかし載せる位置と形状が限られているために、さらなるバラエティーに富む使い方は出来なかった。本考案は、基本的な機能を維持したまま多様な遊び方が工夫できる剣玉を提供するものである。
【課題を解決するための手段】
【０００５】  本考案は、剣の下端部に設けた第１皿部と、剣と交差し横方向に張り出す一つ若しくは二つの支持架（支持架が皿胴を兼ねる場合もある）の両側端に各一対設けた第２皿部、第３皿部、第４皿部および第５皿部と、剣先挿入部と、穴を穿設した玉と、その玉と剣を糸で繋ぎ、玉を空中に浮かし落下する玉を各皿部に載せるか、剣先挿入部を穴に差し込んで遊ぶように構成し、皿の数を従来の３つから５つに増やした剣玉を提供するものである。
又支持架は棒状に限らず、真ん中が皿胴の様にくびれていたり逆に膨らんでいるものであっても問題がない。場合によっては、球形に近いものであっても問題ない。
【考案の効果】
【０００６】  皿の数を２つ増やすことにより、ゲーム性を大幅に増やした遊び方ができ、且つ剣玉の形状の工夫の仕方によってバラエティーに富んだデザインをすることが出来るので、遊びの多様性が増すだけでなく、置物などとして飾ることも可能な剣玉となる。
【実施例１】
【０００７】  第１図に示すごとく、剣１と交差し、横方向に張り出す二つの支持架（本実施例は皿胴を兼ねる）２、２‘がそれぞれ皿胴であって、それぞれの支持架２、２’は十字状に交差するように設けられる。それぞれの皿胴の両側端に第２皿部３と第３皿部４および、第４皿部５と第５皿部６とを設け、剣１の反対側には第１皿部７を設けて、皿部を合計５箇所設けた剣玉とする。
【実施例２】
【０００８】  第２図に示すごとく、剣１と交差する一つの支持架８の両端に、剣と支持架のいずれに対しても直角になるように、第２皿部３と第３皿部４を有する皿胴９と、第４皿部５と第５皿部６を有する皿胴９‘とを設けて、剣１の反対側には第１皿部７を設けて皿部を合計５箇所設けた剣玉とする。
【実施例３】
【０００９】  第３図に示すごとく、剣１と交差する一つの支持架８の両端に、剣と支持架のいずれに対しても直角になるように、第２皿部３と第３皿部４を有する皿胴９と、第４皿部５と第５皿部６を有する皿胴９‘とを設けて、剣１の反対側には第１皿部７をを設けて皿部を合計５箇所設けた剣玉とする。
【実施例４】
【００１０】  第４図に示すごとく、剣１と交差する一つの支持架１０が湾曲するように形成され、該支持架１０の両端に、剣１と支持架いずれに対しても直角になるように、第２皿部３と第３皿部４を有する皿胴と、第４皿部５と第５皿部６を有する皿胴とを設け、剣１の反対側には第１皿部７を設けて、皿部を合計５箇所設けた剣玉とする。
【図面の簡単な説明】
【００１１】
【図１】一実施例である、横方向に支持架が互いに交差するような皿胴からなる剣玉。
【図２】他の他の一つの支持架の両端に皿胴が設けられた剣玉。
【図３】他の他の一つの支持架の両端に皿胴が設けられた剣玉。
【図４】支持架が直線状でなく湾曲した形状を有する剣玉。
【符号の説明】
【００１２】１、                        剣
２、２‘、９，９’、１１    支持架
３、                        第２皿部
４．                        第３皿部
５．                        第４皿部
６．                        第５皿部
７．                        第１皿部
１０、１０‘                皿胴．
【図１】
0003140024.tif 000003
【図２】
0003140024.tif 000004
【図３】
0003140024.tif 000005
【図４】
0003140024.tif 000006
(57)【要約】【課題】本考案は擂りこぎ本体の中心部に穴を貫通させ、この穴に自然薯を挿入し上から押し棒で押さえながら擂り鉢で効率よく自然薯を擂り下ろすことを目的としたものである。【解決手段】本考案は、擂りこぎ本体１の穴２に自然薯４を挿入し、押し棒３で上から押さえながら擂り鉢５の刻み目６で素早く擂り下ろすことのできる擂りこぎの提供である。【選択図】図１
0003140027.tif 000002
【実用新案登録請求の範囲】
【請求項１】
本考案の擂りこぎは、擂りこぎ本体の中心部の長手方向に穴を貫通させて略竹輪状に形成し、この穴に押棒を着脱自在に組み合わせて成る自然薯擂り下ろし用擂りこぎの構造。
【考案の詳細な説明】
【技術分野】
【０００１】  本考案は、擂りこぎ本体を略竹輪状に形成し中心の穴に着脱自在に挿入できる押し棒を組み合わせて一対として成る自然薯擂り下ろし用擂りこぎに関するものである。
【背景技術】
【０００２】  従来、自然薯は素手で握り、擂り鉢の刻み目に押し当てて擂り下ろし、さらに擂りこぎで擂り潰すのが通常の手段であるが、自然薯のぬめりで力が逃げて擂り下ろしに大変苦労していた。
【考案の開示】
【考案が解決しようとする課題】
【０００３】  自然薯は細かく擂り潰すほど泡立ちが良く自然薯本来の味を引き出すことが出来る、しかしながら従来の方法では、自然薯の擂り下ろしに過大な労力を使い、さらに擂りこぎで擂り潰すという二重手間を掛けている、他方、大根下ろしのように下ろし器で荒擂りする方法もあるが、細かく擂り潰すために擂り鉢に入れて擂りこぎで長時間擂り潰さなければならないので、この方法も時間と労力の負担が大きい。従って、この二重手間を省くために擂りこぎの擂り潰し機能と擂り鉢の擂り下ろし機能とを両者同時に活用することで作業能率の向上を計り、前述の欠点を解決しようとするものである。
【課題を解決するための手段】
【０００４】  本考案は、擂りこぎ本体の中心部を長手方向に貫通する穴を穿設し、擂りこぎ本体の下端の擂り面部より自然薯を穴の中へ挿入し、上端の支点部より押し棒を挿入して擂りこぎを擂り鉢の内壁の刻み目に押し当てて、押し棒で加圧しながら擂り鉢内を勢いよく擂り回すことにより自然薯の擂り下ろし作業の能率を上げることで問題点を解決した。
【考案の効果】
【０００５】  上述のように、本考案の擂りこぎ本体は中心部の穴へ下部の擂り面部から自然薯を挿入し、上部の支点部より押し棒を挿入し押し棒で自然薯を押し出すように片手で加圧しながら一方の手で擂りこぎ本体を握り擂り鉢の内壁の刻み目に押し当てて、擂り鉢内を勢いよく擂り回すことにより自然薯は擂り鉢の刻み目で細かく擂り下ろされ、同時に擂りこぎで擂り潰されてきめの細かい泡立ちのよいとろろを素早く擂り下ろすことができるので、とろろの提供を生業とする食堂等においては労力の節減と能率の向上によりコストを下げ、客の回転を早める効果は大きい。
【考案を実施するための最良の形態】
【０００６】  中心部を長手方向に向けて自然薯の挿入に適した貫通する穴２を設けた擂りこぎ本体１は、下部の擂り面部７と上部の支点部８とは端面の太さを異にして形成し、下部の端面は太くして３６０度緩やかな丸みを持たせ、表面積を大きくすることで擂り潰し効果を高めることができる。上部の支点部８は中に入る押し棒３の遊びによるがたつきに耐えられる厚みを有する太さがあれば良い。【０００７】  擂りこぎ本体１と押し棒３は同一種類の素材を用いることを良とする、即ち、擂り下ろし作業中に自然薯が無くなったとき、押し棒３は擂りこぎ本体１と一緒になって擂り鉢５の刻み目６に接触して滑るので、刻み目６の保護のためにも堅い素材は好まない。
【実施例】
【０００８】  以下、添付図面に従って一実施例を説明する。１は木製で擂りこぎに適した適宜の素材にて形成された擂りこぎ本体、２は自然薯と押し棒を挿入する該擂りこぎ本体に穿設された穴、３は挿入した自然薯を繰り出し擂り鉢に押し当てるための押し棒、４は擂りこぎ本体の穴２に挿入されたとろろの素材である自然薯、５は擂り鉢、６は擂り鉢の内壁の刻み目、７は擂り面部、８は押し棒の遊びのがたを支える支点部【０００９】  図１は、本考案の請求項１に記載する擂りこぎ本体１の中心部の長手方向に穴２を貫通させて略竹輪状に形成された擂りこぎ本体１の穴２に押し棒３を挿入した状態の一実施例を示す斜視図である。【００１０】  図２は本考案の擂りこぎ本体１の穴２に自然薯４を挿入し上から押し棒３を挿入して自然薯４を押し出し擂り鉢５の刻み目６に押し当てた状態の一実施例を示す断面図である。【００１１】  図２に示すように擂り鉢５の刻み目６に当接した擂りこぎ本体１の穴２に挿入されている自然薯４を擂り下ろすために押し棒３で自然薯４を常に加圧しながら擂り鉢５内を擂り回すことにより刻み目６で自然薯４は次々と擂り取られていき、擂り取られて減った自然薯４は押し棒３で常に繰り出される構造になっている。【００１２】  作業者は利き手で擂りこぎ本体１を握り一方の手で押し棒３を適宜の力で加圧しながら自然薯４を擂り下ろせば効率よく美味しいとろろを擂り下ろすことができる。
【図面の簡単な説明】
【００１３】
【図１】本考案の擂りこぎの実施例を示す斜視図である。
【図２】本考案の擂りこぎの実施例を示す断面図である。
【符号の説明】
【００１４】      １  擂りこぎ本体
２  穴
３  押し棒
４  自然薯
５  擂り鉢
６  刻み目
７  擂り面部、
８  支点部
【図１】
0003140027.tif 000003
【図２】
0003140027.tif 000004
(57)【要約】      （修正有）【課題】将棋用品一式を順次収納し、携帯又は保管に便利な小形の一箱に形成する。【解決手段】将棋の駒３、駒台２ａ・２ｂ、盤区画線上で切断分割された四分割盤１ａ・１ｂ・１ｃ・１ｄを順次収納し、一箱に形成する。【選択図】図３
0003140606.tif 000002
【実用新案登録請求の範囲】
【請求項１】
将棋の駒、箱体の二駒台、盤区画線上で切断分割された箱体の四分割盤を順次収納し、一箱になるよう形成した分割収納ゲーム盤。
【考案の詳細な説明】
【技術分野】
【０００１】
本考案は、たとえば将棋用品一式を携帯又は保管用として小形化するため、駒、二駒台、四分割盤を順次収納し、一箱に形成したゲーム盤、特に分割収納将棋盤に関するものである。
【背景技術】
【０００２】
従来、将棋盤を二分割折畳みにしたものがある。
【考案の開示】
【考案が解決しようとする課題】
【０００３】
折畳みを開いて盤にした場合、分割線が盤中央部区画線の真中を通ることにより見苦しい問題点がある。折畳みにした場合、大きさが、携帯用とするにはあまり小形化されていない。
【課題を解決するための手段】
【０００４】
二駒台と盤区画線上で切断された四分割盤を各々箱体とすることにより、駒、二駒台、四分割盤の順次収納が可能となり、一箱に形成することができる。
結果、問題点は解決されるとともに、より小形化されたものとなる。
【考案の効果】
【０００５】
将棋用品一式が、分割盤で形成する小形の一箱内に、すべて収納されることにより、携帯又は保管用として便利なものとなる。
【考案を実施するための最良の形態】
【０００６】
以下、添付図面に基づいて説明する。
図１、図２より、盤区画表示板１の区画線上で切断された四分割板と、駒置板２の各板下部全周に枠体４を固着、各々箱体として、分割盤１ａ・１ｂ・１ｃ・１ｄと駒台２ａ・２ｂとする。分割盤１ｃ・１ｄと駒台２ａ・２ｂを各々一対の底箱・蓋箱とし、各枠体に切り欠きを作り蓋箱の二辺が底箱に入る構造とする。分割盤１ａ・１ｂは枠体に切り欠き無しの底箱・蓋箱で一対とする。
【０００７】
なお、四分割盤の各盤面区画数は、分割盤１ａは２５―１＝２４区画、分割盤１ｂは２５区画、分割盤１ｃと１ｄは各々１６区画とする。
【実施例】
【０００８】
将棋用品一式の収納順序は、駒３を駒台２ａに収納し駒台２ｂを蓋として一箱にする。この箱を分割盤１ｃに収納し分割盤１ｄを蓋として一箱にする。さらにこの箱を分割盤１ａに収納し分割盤１ｂを蓋として一箱にする。以上で用品一式の収納完了となる。この時、分割盤１ａの１区画が切り欠き状態となるが、補助材９を当てることにより完全な箱体となる。
【０００９】
次に、前記収納の逆順序で開き、四分割盤１ａ・１ｂ・１ｃ・１ｄの裏側各枠体４の部分をクリップで固定、表返して将棋盤となり左右に駒台を配置し、駒を並べて競技を
始める。
【００１０】
以上、本考案の実施形態を将棋盤を例に説明したが、本考案は、囲碁盤やチェス盤等の他のゲーム盤にも用いることができる。
【図面の簡単な説明】
【００１１】
【図１】本考案の分割将棋盤、駒台の配置状態を示す斜視図である。
【図２】本考案の分割将棋盤、駒台の裏面を示す斜視図である。
【図３】本考案の分割収納を示す一部切り欠き断面斜視図である。
【符号の説明】
【００１２】
１                      将棋区画表示板
１ａ・１ｂ・１ｃ・１ｄ  四分割盤
２                      駒置板
２ａ・２ｂ              駒台
３                      駒
４                      枠体
５                      分割線
６                      分割盤及び駒台の箱体形成用、枠体切り欠き
７                      分割盤の固定クリップ用、枠体切り欠き
８                      クリップ
９                      補助材
【図１】
0003140606.tif 000003
【図２】
0003140606.tif 000004
【図３】
0003140606.tif 000005
(57)【要約】      （修正有） 【課題】防壁及びこれを備えた便器を提供する。【解決手段】便座と便器の側面に溝を付けたしん棒を強力な粘着力のある物やその他の物で固定をし、その溝に防壁を脱着出来る様にした物や又それが便座や便器と一体化し、脱着可能な防壁を作成し防壁が汚れたら拭いたり、取り外したりして洗う事が出来、尿はねや臭い衣服への尿の付着がなくなり不快感もなく、トイレ掃除の簡素化につながる。【選択図】図１
0003140604.tif 000002
【実用新案登録請求の範囲】
【請求項１】
尿はねや、衣服が直接便器に触れる事を防ぐ為の脱着可能な防壁。
【請求項２】
便器まわりの尿はねや、衣服が直接便器に触れる事を防ぐ請求項１記載の防壁を付けた便器又は便座。
【考案の詳細な説明】
【技術分野】
【０００１】
この考案は、便器や便座の形状に関する。
【背景技術】
【０００２】
従来の便座は、座る事を目的につくられている。
【考案の開示】
【考案が解決しようとする課題】
【０００３】
従来の便座は座る事を目的につくられているので、特に男性の場合は尿の飛びはねの範囲が予想以上に広くその上、尿の臭いにも悩まされ掃除がたいへんである。又、女性が便座を使用する際、衣服が便器に触れると便器に男性の尿が付いているので触れない様、努めなければならないので、とても不快感があった。そのような尿はねや不快感を取り除き、掃除の手間をはぶく事を課題とする。
【課題を解決するための手段】
【０００４】
以上の課題を解決する為に便座と便器の側面に溝をつけた、しん棒を強力な粘着力のあるものやその他のもので固定をし、その溝に、防壁を脱着出来る様にしたものや又それが便座や便器と一体化し脱着可能な防壁を作成し、防壁が汚れたら拭いたり取り外して洗う事が出来、常に清潔を保てる事を特徴とする便座である。
【考案の効果】
【０００５】
尿はねや尿の臭い又尿が衣服に付くのを防ぎ不快感も無く防壁が脱着自由なのでトイレ掃除の簡素化につながる。
【考案を実施するための最良の形態】
【０００６】
この考案の一実施形態を図１、図２、図３、図４に基づいて説明する。図において１は防壁で２は便器３は便座４はしん棒。
【実施例】
【０００７】
図１は４の溝のついたしん棒と２の便器と３の便座が一体化、男性使用の場合で３の便座を上げた時で１の防壁が開いている、図２は４の溝のついたしん棒と２の便器と３の便座が一体化した女性使用の場合で１の防壁が閉じ、飛んだ尿が付着した面と逆の面が表面に出ているので衣服に飛んだ尿が付着しない。図３は４の溝の付いたしん棒に１の防壁を付け開いた所、図４は４の溝の付いたしん棒に、１の防壁を付け閉じた所であり既存の物に取り付ける。
【図面の簡単な説明】
【０００８】
【図１】この考案の一実施形態を示す斜視図である(男性使用の場合)。
【図２】この考案の一実施形態を示す斜視図である(女性使用の場合)。
【図３】溝を付けた、しん棒に防壁をつけた斜視図である(男性使用の場合)。
【図４】溝を付けた、しん棒に防壁をつけた斜視図である(女性使用の場合)。
【符号の説明】
【０００９】
１、防壁
２、便器
３、便座
４、溝の付いた、しん棒
【図１】
0003140604.tif 000003
【図２】
0003140604.tif 000004
【図３】
0003140604.tif 000005
【図４】
0003140604.tif 000006
(57)【要約】【課題】本考案はバス停留所におけるバス時刻表の照明装置を設置時に配線工事等を伴うこと無い為、安価に設置することが出来ると同時に、ランニングコストも低くしたバス停留所時刻表照明装置を供給することにより乗客の便宜を図ろうとするものである。【解決手段】本考案はバス停留所時刻表照明装置本体に電池と光源を設け、照明が必要な都度、押しボタンスイッチを押して時刻表を照明することにより電池寿命の延長を図ると共に配線工事を伴わない為、取り付け工事の低価格化を図り、取り付けに盗難防止ネジを使用することにより盗難防止をも図るものである。  【選択図】図１
0003140697.tif 000002
【実用新案登録請求の範囲】
【請求項１】
バス停留所の時刻表照明装置において、電池を内蔵しスイッチを押した時だけ照明が点灯することにより電池の消耗時間を少なくすると同時に簡易にバス停留所標識に取り付けることが出来るバス停留所時刻表照明装置。
【請求項２】
バス停留所の時刻表掲示板裏面から照明装置に向けて盗難防止用特殊ネジで取り付けることにより悪戯や盗難防止を図ることを目的としたバス停留所時刻表照明装置。
【考案の詳細な説明】
【技術分野】
【０００１】
本考案は、バス停留所における時刻表の照明装置に関するものである。
【背景技術】
【０００２】
従来のバス停留所における時刻表は、都市部にある大型のものを除いて停留所の標識ポールに時刻表掲示板を設けたものが大部分であり夜間においては照明が無い為、時刻表を読み取ることが困難であった。
【０００３】
この改善策として、簡易にバス停留所標識に取り付けられ、時刻表を読み取ることができる照明装置を提供するものである。
【考案の開示】
【考案が解決しようとする課題】
【０００４】
特に人口過疎部におけるバス停留所においては、夜間は照明が無い為に暗く、また照明装置を取り付けようとしても、商用電源を用いる装置では大掛かりとなり費用的にも非常に困難であった。太陽電池を用いたものも、本体費用、取り付け費用、メンテナンスを含めて問題が多く難しい状況である。
またこの照明装置は、悪戯や盗難についても配慮する必要があった。
【課題を解決するための手段】
【０００５】
本考案は、この問題点を解決するために、強固な筐体の中に電池と光源を設けた一体型とし必要時にスイッチを押した時だけ時刻表を照射するものである。また取り付けは、悪戯や盗難防止の為に一般の工具では廻すことの出来ない特殊ネジを使用することにより悪戯や盗難防止の効果がある。
【考案の効果】
【０００６】
本考案を実施した効果は、本体をバス停留所の時刻表掲示板に取り付けるだけで良く、取り付けの為の配線工事等が不要なため取り付け費用が非常に安価であり、また必要な時だけスイッチを押して点灯させることにより電池の消耗を大幅に抑えることが可能である。
【考案を実施するための最良の形態】
【０００７】
本考案の照明装置を取り付ける場合は、停留所標識から安全の為に出来るだけ突出しないほうが望ましく、このことからバス時刻表の側方から照明を当てることが望ましい為、照明装置本体の側方に光源を設け手前にスイッチを設けた形状が望ましい。
【実施例】
【０００８】
以下、図面に従って一実施例を説明する。図１はバス停留所標識に本考案のバス停留所時刻表照明装置を取り付けた状態の図で、１は本発明を実施した時刻表照明装置で２のバス停留所標識の時刻表掲示部３に張られた時刻表４を照明するように取り付けられている。
【０００９】
次に図２より本考案のバス停留所時刻表照明装置について説明する。１の照明装置本体の側面に透明保護板５を設けその内側にＬＥＤの光源６を３個、設けている。正面には押ボタンスイッチ７が設けられており、これを押すことによって光源６が点灯する。本説明では電力消費の少なさから光源をＬＥＤで説明するが他の光源でも良いことは言うまでもない。また光源の個数も照射する時刻表の大きさに合わせて少なくしたり、増やしたりしても良いことは言うまでもない。
【００１０】
本実施例では筐体の蓋部イが矢符ロのようにスライドすることにより電池の交換を行うことが出来るが、その開口方法は、もちろん他の方法でも良い。
【００１１】
図３は時刻表掲示部３に照明装置本体１を取り付ける状態を示し裏側から盗難防止用特殊ネジ８で照明装置本体を取り付けることにより盗難防止を防ぐ効果がある。盗難防止用のネジは特殊ドライバーでないと回らないものがあることは周知のとおりである。
【産業用の利用可能性】
【００１２】
本考案は、時刻表の照明に限らず他の掲示板や車内灯・室内灯、ポーチライトに活用できることは言うまでもない。
【図面の簡単な説明】
【００１３】
【図１】本考案を実施したバス停留所標識の状態を示す斜視図である。
【図２】本考案における照明装置本体の斜視図である。
【図３】本考案を時刻表掲示部に取り付ける状態を示す側面図である。
【符号の説明】
【００１４】
１  照明装置本体
２  バス停留所標識
３  時刻表掲示部
４  時刻表
５  透明保護板
６  光源
７  押しボタンスイッチ
８  特殊ネジ
【図１】
0003140697.tif 000003
【図２】
0003140697.tif 000004
【図３】
0003140697.tif 000005
【手続補正書】
【提出日】平成19年12月28日(2007.12.28)
【手続補正１】
【補正対象書類名】実用新案登録請求の範囲
【補正対象項目名】全文
【補正方法】変更
【補正の内容】
【実用新案登録請求の範囲】
【請求項１】
バス停留所の時刻表照明装置において電池、スイッチ、照明装置を具備する照明装置でスイッチを押した時だけ、照明が点灯することにより電池の消耗時間を少なくすると同時に簡易にバス停留所標識に取り付けることが出来るバス停留所時刻表照明装置。
【請求項２】
バス停留所の時刻表掲示板裏面から照明装置に向けて盗難防止用特殊ネジで取り付けることにより悪戯や盗難防止を図ることを目的とした請求項１に記載されたバス停留所時刻表照明装置。
(57)【要約】【課題】  本考案は、カラージェルの混ぜ合わせや、ネイル剥離に使用するアルミホイルを準備する際の手間と時間を省力化する。【解決手段】  あらかじめ９ｃｍ角に裁断したアルミホイル１を用意する。【選択図】図１
0003140692.tif 000002
【実用新案登録請求の範囲】
【請求項１】
ネイルジェルを施術するためのアルミホイル。
【考案の詳細な説明】
【技術分野】
【０００１】
本考案は、ネイルジェルを施術する際に使用するアルミホイルを使用しやすい形で予め用意するものである。
【背景技術】
【０００２】
従来は、市販のアルミホイルをネイルサロンの従業員が使用しやすい大きさ（約１０ｃｍ角）に切っていた。
【考案の開示】
【考案が解決しようとする課題】
【０００３】
きれいなグラデーションを作るために、カラージェルを混ぜ合わせる際に、パレットを使用すると洗う手間がかかるので、アルミホイルを使用している。
【０００４】
また、ネイルジェルを剥離する際に、リムーバーを染み込ませたコットンを爪の上に置き、その上からアルミホイルを巻いてしっかり固定することで、剥離しやすくする。
【０００５】
それらの際に使用するアルミホイルを、１０ｃｍ角程度の大きさに切って準備をするため、ネイルサロンの従業員が手間と時間をかけている。
【課題を解決するための手段】
【０００６】
本考案は、あらかじめ使いやすい大きさに裁断したアルミホイルを提供するものである。
【考案の効果】
【０００７】
あらかじめ使用する大きさにアルミホイルを裁断することで、ネイルサロンの従業員の作業が軽減される。
【考案を実施するための最良の形態】
【０００８】
アルミホイル１を９ｃｍ角に裁断する。
【実施例１】
【０００９】
アルミホイル１にカラージェル３を適量取り、クリア４を少しずつ筆２で混ぜてグラデーションを作成する。
【実施例２】
【００１０】
あらかじめトップコートやポリッシュなどを落とし、表面を軽くファイリングした状態で本考案を使用する。
【００１１】
コットン５にリムーバーを染み込ませ、爪を覆うように本考案を被せる。
【００１２】
アルミホイル１の両端を指に巻くようにし、上部を丸め込むことでコットンを固定する。
【図面の簡単な説明】
【００１３】
【図１】本考案の概略構成を説明する概略構成説明図である。
【図２】本考案の実施例１を説明する概略構成説明図である。
【図３】本考案の実施例２を説明する概略構成説明図である。
【符号の説明】
【００１４】
１  アルミホイル
２  筆
３  カラージェル
４  クリア
５  コットン
【図１】
0003140692.tif 000003
【図２】
0003140692.tif 000004
【図３】
0003140692.tif 000005
【手続補正書】
【提出日】平成19年10月23日(2007.10.23)
【手続補正１】
【補正対象書類名】実用新案登録請求の範囲
【補正対象項目名】全文
【補正方法】変更
【補正の内容】
【実用新案登録請求の範囲】
【請求項１】
ネイルジェルの施術（カラージェルの混ぜ合わせ、および爪からの剥離）を実施しやすくする為に、適切な大きさに裁断したアルミホイル。
【手続補正書】
【提出日】平成19年12月12日(2007.12.12)
【手続補正１】
【補正対象書類名】実用新案登録請求の範囲
【補正対象項目名】全文
【補正方法】変更
【補正の内容】
【実用新案登録請求の範囲】
【請求項１】
ネイルジェルの施術におけるカラージェルの混ぜ合わせ、および爪からの剥離を実施しやすくする為に、あらかじめ適切な大きさの正方形に裁断したアルミホイル。
(57)【要約】      （修正有）【課題】紙面の表面、裏面を使用し同一図柄、異なる大きさの印刷を繰り返し行うことで使用者の用途、環境にあった大きさのカレンダーを使用者が任意に選択できる。【解決手段】カレンダー紙面の表面の大きさを基準とし裏面を使用して縮小印刷をおこない、縮小のために発生した余白に更に縮小印刷を行うことを繰り返しことで同一図柄、異なる大きさの印刷物を作成し、使用者は用途に応じて切り離して使用する。【選択図】図１
0003140696.tif 000002
【実用新案登録請求の範囲】
【請求項１】
紙面に対しその大きさを基準として表面全面に図柄を印刷し、次にその裏面に異なる大きさの縮小された表面と同一図柄を印刷する。その余白に同様に片側に更に縮小された大きさの表面と同一図柄を印刷する。この作業を繰り返し、紙面の裏面を印刷し埋めていくことによってその使用者が切り離して大きさを選択することが可能となる印刷物。
【考案の詳細な説明】
【技術分野】
【０００１】    本考案は、カレンダーに関するものである。
【背景技術】
【０００２】    従来のカレンダーでは、ひとつの図柄に対しひとつの大きさの印刷のみが成されている。
【考案が解決しようとする課題】
【０００３】  しかし、これでは、その図柄を嗜好した使用者が掲示場所や用途に対し制限を受けることになり、使用者は複写機やスキャナを使用して自身の希望する大きさに変更せざるを得なくなり、不便であるとともに電力、紙といった資源を消費することになっている。
【考案が解決しようとする手段】
【０００４】  そこで、紙面に対しその大きさを基準として表面全面に図柄を印刷し、次にその裏面の分割された部分の片側に縮小された大きさの表面と同一図柄を印刷する。その次に余った片側を分割し同様に片側に更に縮小された大きさの表面と同一図柄を印刷する。この作業を繰り返し、紙面の裏面を印刷し埋めていく（図１）。
【考案の効果】
【０００５】  よって、本考案の印刷手順によってカレンダーの使用者は自身の環境に合わせて基準の大きさのカレンダーを切り離して使用することができるようになり、また、基準の大きさ以外の異なる大きさのカレンダーを複数枚入手できるようになる。
【考案を実施する為の最良の形態】
【０００６】  本考案における印刷物はその印刷スペースを、２等分割を繰り返していくことで紙面を隙間無く同一図柄で埋めることができる。
【図面の簡単な説明】
【０００７】
【図１】  本考案に係る印刷の形態を示した図柄の配置図である。
【図１】
0003140696.tif 000003
【手続補正書】
【提出日】平成19年12月28日(2007.12.28)
【手続補正１】
【補正対象書類名】実用新案登録請求の範囲
【補正対象項目名】全文
【補正方法】変更
【補正の内容】
【実用新案登録請求の範囲】
【請求項１】
「紙面において、
（１）その大きさを基準として表面全面に図柄を印刷し、
（２）その裏面に紙面全体の面積の２分の１に縮小された同一図柄を片寄せして印刷し、
（３）その余白に更に（２）項の２分の１に縮小された同一図柄を印刷し、
（４）この作業を繰り返し紙面の裏面を同一絵柄で印刷し埋めていく、
以上からなる印刷物。」
(57)【要約】【課題】低廉な価格で自動車登録番号標識板の美観と保護機能を向上させる自動車登録番号標識板台座提供する。【解決手段】自動車登録番号標識板重合部分（２）の素材をＧＦＲＰに、淵部（３）の素材をＣＦＲＰにて成形する。自動車登録番号標識板重合部分（２）を黒ゲルコート着色、淵部（３）をクリアゲルコート着色する。自動車登録番号標識板台座（１）の自動車登録番号標識板重合部分（２）と淵部（３）間に高低差を設けリブ形状とする【選択図】図３
0003140700.tif 000002
【実用新案登録請求の範囲】
【請求項１】
下記（イ）（ロ）（ハ）の特徴を有した自動車登録番号標識台座（１）
（イ）強化プラスチック製の自動車登録番号標識板台座（１）。
（ロ）自動車登録番号標識板重合部分（２）をＧＦＲＰにて成形、淵部（３）をＣＦＲＰにて成形した自動車登録番号標識板台座（１）。
（ハ）自動車登録番号標識板重合部分（２）を黒ゲルコート着色、淵部（３）をクリアゲルコート着色とし製品単体での美観を確保した自動車登録番号標識板台座（１）。
【請求項２】
自動車登録番号標識板台座（１）の自動車登録番号標識板重合部分（２）と淵部（３）間に高低差を設け、リブ構造とする事により自動車登録番号標識板（４）の保護機能を向上させる自動車登録番号標識板台座（１）。
【考案の詳細な説明】
【技術分野】
【０００１】本考案は、低廉な価格で自動車登録番号標識板の美観と保護機能を向上させる事を目的とする強化プラスチック製標識台座に関するものである。
【背景技術】
【０００２】従来、自動車登録番号標識板台座は単一素材を用い平板形状に成形されている場合が多かった。
【考案の開示】
【考案が解決しようとする課題】
【０００３】これらには次のような問題点があった。
（イ）その構造上、自動車登録番号標識板台座は、自動車登録番号標識板により大半の部分が隠れてしまう。
（ロ）この場合、美観に優れ強度も高いが高価であるカーボン素材を使用し自動車登録番号標識板台座を製作する場合、自動車登録番号標識板により隠れてしまう部分にかかる材料コストが製品コストに影響を与えてしまう。
（ハ）また、平板形状に成形される自動車登録番号標識板台座は、ねじれ剛性が不足してしまう。
本考案はこれらの問題点を取り除く為になされたものである。
【課題を解決するための手段】
【０００４】（イ）強化プラスチック製の自動車登録番号標識板台座（１）。
（ロ）自動車登録番号標識板重合部分（２）の素材をＧＦＲＰに、淵部（３）の素材をＣＦＲＰにて成形する。
（ハ）自動車登録番号標識板重合部分（２）を黒ゲルコート着色、淵部（３）をクリアゲルコート着色とし製品単体での美観を確保する。
（ニ）自動車登録番号標識板台座（１）の自動車登録番号標識板重合部分（２）と淵部（３）間に高低差を設けリブ形状とする。
【考案の効果】
【０００５】（イ）ＧＦＲＰはＣＦＲＰに比して安価である為、材料費が軽減出来る事により製品コストを抑える事が可能である。
（ロ）リブ形状に成形された自動車登録番号標識板台座（１）はその構造により、平板の物に比してねじれ剛性が高いものとなる。
【考案を実施するための最良の形態】
【０００６】以下本考案の実施例について説明する。
（イ）強化プラスチックで自動車登録番号標識板台座（１）を形成する。
（ロ）自動車登録番号標識板重合部分（２）の素材をＧＦＲＰに、淵部（３）の素材をＣＦＲＰにて成形する。
（ハ）自動車登録番号標識板重合部分（２）を黒ゲルコート着色、淵部（３）をクリアゲルコート着色する。
（ニ）自動車登録番号標識板台座（１）の自動車登録番号標識板重合部分（２）と淵部（３）間に高低差を設けリブ形状とする。
【図面の簡単な説明】
【０００７】
【図１】本考案の正面図である。
【図２】本考案と自動車登録番号標識板の正面図である。
【図３】本考案の斜視図である。
【図４】本考案自動車登録番号標識板の側面図である。
【符号の説明】
【０００８】１  自動車登録番号標識板台座
２  自動車登録番号標識板重合部分
３  淵部
４  自動車登録番号標識板
【図１】
0003140700.tif 000003
【図２】
0003140700.tif 000004
【図３】
0003140700.tif 000005
【図４】
0003140700.tif 000006
【手続補正書】
【提出日】平成19年12月19日(2007.12.19)
【手続補正１】
【補正対象書類名】実用新案登録請求の範囲
【補正対象項目名】全文
【補正方法】変更
【補正の内容】
【実用新案登録請求の範囲】
【請求項１】
下記（イ）（ロ）（ハ）の特徴を有した自動車登録番号標識台座（１）
（イ）強化プラスチック製の自動車登録番号標識板台座（１）。
（ロ）自動車登録番号標識板重合部分（２）をＧＦＲＰにて成形、淵部（３）をＣＦＲＰにて成形した自動車登録番号標識板台座（１）。
（ハ）自動車登録番号標識板重合部分（２）を黒ゲルコート着色、淵部（３）をクリアゲルコート着色とし製品単体での美観を確保した自動車登録番号標識板台座（１）。
【請求項２】
自動車登録番号標識板台座（１）の自動車登録番号標識板重合部分（２）と淵部（３）間に高低差を設け、リブ構造とする事により自動車登録番号標識板（４）の保護機能を向上させる事を特徴とした、請求項１記載の自動車登録番号標識板台座（１）。
(57)【要約】【課題】    緩衝構造を有する竹製板の提供。【解決手段】    緩衝構造を有する竹製板は、複数の竹材を利用して、粘合と圧縮成型によりなる上層板と下層板からなる。上下層板の間の周辺は横竹材を結合し、横竹材周辺に空間を形成し、空間内に、複数の竹材から構成される中空状の緩衝構造層を設置し、緩衝構造層の両面は、それぞれ、上層板と下層板に結合され、これにより、竹製板を構成する。【選択図】    図１
0003140654.tif 000002
【実用新案登録請求の範囲】
【請求項１】
緩衝構造を有する竹製板であって、複数の竹片を利用して、粘合と圧縮成型によってなる上層板と下層板と、からなり、前記上層板と前記下層板の間の周辺は、複数の横竹材を結合して、前記上層板、下層板、及び、各横竹材の間に空間を囲み出し、前記空間内は緩衝構造層を結合固定し、前記緩衝構造層は、複数の竹により、円フレーム、波浪形竹材、真っ直ぐな竹材、V字型竹材、或いは、蜂の巣状竹材によりなる中空構造を有することを特徴とする緩衝構造を有する竹製板。
【考案の詳細な説明】
【技術分野】
【０００１】
本考案は、竹材からなる板体に関し、特に、竹製板は、机、椅子、収納用具、家具、及び、室内内装用建材に使用できる竹製板に関する。
【背景技術】
【０００２】
一般に、家具を製造する材料は多く、例えば、金属、木材、プラスチック、ガラス、皮革等があり、その中でも、木材は温かみや素朴な感じがあり、また、各種造型に加工することができるのでよく使用される。しかし、木製家具の製作には大量の木を必要とするので、過度の伐採による環境への影響が懸念される。この他、木製の伝統的な家具は、重量が重く、運搬が不便であり、且つ、価格も高い。もし、挟板等の木製板により家具を製造すれば、家具の重量は減少し、価格も安くなるが、通常は、強度が不足する。
【考案の開示】
【考案が解決しようとする課題】
【０００３】
本考案の目的は、公知の木製家具が、大量の樹木を必要とし、環境に影響を与えることや、重量が重く運搬しにくい、また、価格が高いといった欠点、及び、木製の挟板により製造された木材家具が、軽量であるが、強度が弱いといった欠点を改善する緩衝構造を有する竹製板を提供することにある。
【課題を解決するための手段】
【０００４】
上述の目的を達成するため、本考案は、生長が樹木より速い竹材を原材料とし、竹材により挟層構造の板体を製造する。
【考案の効果】
【０００５】
メーカーは、この竹製材により、収納用具、家具、内装用建材を製造し、樹木の過度な伐採を防止して、環境を保護するだけでなく、板材の重量が減少する条件下でも、強度を維持することができる。
【考案を実施するための最良の形態】
【０００６】
図１は、本考案による緩衝構造を有する竹製板の好ましい実施例を示す図であり、上層板１、下層板２、緩衝構造層３、及び、複数の横竹材４、からなる。上層板１と下層板２は、どちらも、複数の竹片を粘合、及び、圧縮成型した竹板である。竹片は、竹材を加工した時に生じる不規則な廃棄竹片でもよいし、規格化された小竹片でもよい。
【０００７】
横竹材４は、竹材を加工して、長さ、幅、高さのある方形にし、上層板１と下層板２間の周辺で、空間を囲むように設置される。
【０００８】
緩衝構造層３は、複数の竹材からなる中空構造で、緩衝構造層３は上層板１、下層板２、及び、横竹材４により囲まれた空間内に設置され、上層板１、下層板２と結合固定されて、竹製板を完成する（図２で示される）。
【０００９】
緩衝構造層３は、複数の実施例がある。図１で示される緩衝構造層３は、複数の真っ直ぐな竹材３１を交差方式で組み合わせてなる。図３で示される緩衝構造層３は、竹材を円フレーム３２にした後、円フレーム３２を排列して、中空状の構造を構成する。円フレーム３２の結合は、粘着剤により粘合してもよいし、その他の適当な方式により結合する。
【００１０】
図４で示される緩衝構造層３は、まず、竹材を波浪形竹材３３に加工した後、排列して、中空状の構造を構成する。波浪形竹材３３の間の結合は、粘着剤により粘合してもよいし、その他の適当な方式により結合する。
【００１１】
図５で示される緩衝構造層３は、複数の真っ直ぐな竹材３１を平行に排列してなる。よって、真っ直ぐな竹材３１は直接、上層板１と下層板２に結合されて、竹材３１の間は適当な距離を維持する。真っ直ぐな竹材３１と上下層板１、２間の結合は、粘着剤により粘合してもよいし、その他の適当な方式により結合する。
【００１２】
図６で示される緩衝構造層３は、竹材をV字型竹材３４に湾曲した後、排列して、中空状構造にする。V字型竹材３４間の結合は、粘着剤により粘合してもよいし、その他の適当な方式により結合する。
【００１３】
図７で示される緩衝構造層３は、複数の湾曲した竹材を蜂の巣状竹材３５にし、蜂の巣状竹材３５を中空状板体構造にする。蜂の巣状板体３５の結合は、粘着剤により粘合してもよいし、その他の適当な方式により結合する。
【図面の簡単な説明】
【００１４】
【図１】本考案の主要素子の関係を示す立体分解図である。
【図２】素子組み合わせ後の立体図である。
【図３】緩衝構造層が、複数の竹材により円フレームになる実施例の立体図である。
【図４】緩衝構造層が、複数の竹材により波浪形竹材になる実施例の立体図である。
【図５】緩衝構造層が、複数の真っ直ぐな竹材を平行に排列する実施例の立体図である。
【図６】緩衝構造層が、複数のV字型竹材により組成される実施例の立体図である。
【図７】緩衝構造層が、複数の湾曲した竹材により蜂の巣状になる実施例の立体図である。
【符号の説明】
【００１５】
１…上層板
２…下層板
３…緩衝構造層
４…横竹材
３１…真っ直ぐな竹材
３２…竹製円フレーム
３３…波浪形竹材
３４…V字型竹材
３５…蜂の巣状竹材
【図１】
0003140654.tif 000003
【図２】
0003140654.tif 000004
【図３】
0003140654.tif 000005
【図４】
0003140654.tif 000006
【図５】
0003140654.tif 000007
【図６】
0003140654.tif 000008
【図７】
0003140654.tif 000009